(57)【要約】【課題】インバータ本体の前部に設けられた回路部が、インバータ本体１１の後部に形成されたヒートシンク部からの放熱により損傷するのを防止する。【解決手段】前部に回路部１１ａを有するインバータ本体１１の後部にヒートシンク部１１ｂを設け、インバータ本体１１の外周の回路部１１ａとヒートシンク部１１ｂとの境目部分に一連の溝１１ｃを設け、この溝１１ｃに取付板２６の各分割部分２６ａ，２６ｂを差し込んで相互にねじ締めすることにより、インバータ本体１１に取付板２６を取り付け、この取付板２６を取付パネル２７にヒートシンク部１１ｂが外に出るように取り付ける。【選択図】　図１
2004015920.tif 000002
【特許請求の範囲】
【請求項１】
前部に回路部を有するとともに、後部にヒートシンク部を一体的に形成されたインバータ本体と、インバータ本体の回路部とヒートシンク部との境目部分の外周に設けられた一連の溝と、二分割構造でそれぞれを溝に挿入して相互にねじ締めすることによりインバータ本体と一体化される取付板とを備え、取付板を取付パネルにヒートシンク部が取付パネルの外側に出るようにねじにより取り付けたことを特徴とするインバータ装置。
【請求項２】
取付板の各分割部分を同一形状としたことを特徴とする請求項１記載のインバータ装置。
【請求項３】
インバータ本体の周囲に前後方向の複数の凹部を設け、この凹部において取付板とインバータ本体の後端部との間に補強脚を取り付けたことを特徴とする請求項１又は２記載のインバータ装置。
【発明の詳細な説明】
【０００１】
【発明の属する技術分野】
この発明は、インバータ装置に関するものである。
【０００２】
【従来の技術】
図４は電源１によりインバータ装置２を介してモータ３を駆動するモータ駆動装置の構成を示し、インバータ装置２は、３相電源を全波整流するダイオードからなる順変換部４、電磁接触器ＭＣ、予備充電抵抗Ｒ、ヒューズ６、ＩＧＢＴやトランジスタ等の半導体素子からなる逆変換部７、電流検出用ホールＣＴ８、制御回路９、半導体素子のゲート信号を出力するドライブ回路１０により構成されている。
【０００３】
図５はインバータ装置２の分解斜視図を示し、１１は前部に順変換部４、逆変換部７等の回路等を内蔵した回路部１１ａを有するとともに、後部にヒートシンク部１１ｂが一体的に形成されたインバータ本体であり、順変換部４と逆変換部７は発熱するので、冷却用のヒートシンク部１１ｂにねじ止めされており、インバータ本体１１には冷却ファン接続コネクタ１２を介して冷却ファン取付ケース１３が接続され、取付ケース１３には冷却ファン１４が取り付けられている。従って、順変換部４及び逆変換部７の発熱は、ヒートシンク部１１ｂに伝えられ、自然空冷または冷却ファン１４による強制空冷により外部に放出される。１５はインバータ本体１１の回路部１１ａの右上部に設けられたオペレーションパネル接続コネクタ、１６，１７はインバータ本体１１の回路部１１ａの上部、下部に設けられたＬＥＤ、１８，１９はインバータ本体１１の回路部１１ａ内の下部に設けられた主回路端子台及び制御回路端子台、２０はインバータ本体１１の回路部１１ａ内の左側面に設けられた定格銘板、２１，２２はインバータ本体１１の回路部１１ａの下部に設けられた主回路ケーブル接続穴及び制御回路ケーブル接続穴である。
【０００４】
２３はインバータ本体１１の回路部１１ａの前面開口を覆う表面カバーであり、その右下部にはＰＬ文章部２４が設けられている。２５は表面カバー２３の右上部に設けられたオペレーションパネルである。
【０００５】
【発明が解決しようとする課題】
上記構成のインバータ装置２においては、順変換部４及び逆変換部７からの放熱は全体の約７０％がヒートシンク部１１ｂを介して大気に対して行われ、残りの約３０％の放熱はインバータ本体１１の回路部１１ａ内に行われる。インバータ本体１１の回路部１１ａ内には、順変換部４及び逆変換部７の他に制御回路９やドライブ回路１０も設けられており、これらの回路においては、ＣＰＵ、半導体等の熱に弱い部品も使用されている。従って、この約３０％の放熱による影響を少なくするために、部品配置の最適化やヒートシンクの効率の向上のための冷却設計が必要となる。又、制御盤にインバータ装置２を配置する場合、ヒートシンク部１１ｂの放熱によるインバータ本体１１の回路部１１ａの内部への影響を少なくするために、ヒートシンク部１１ｂの排熱部を熱的に分離しなければならない。
【０００６】
この発明は上記のような課題を解決するために成されたものであり、ヒートシンク部の放熱からインバータ本体の回路部を熱的に分離し、ヒートシンク部からの放熱によりインバータ本体の回路部内の部品が損傷するのを防止することができるインバータ装置を得ることを目的とする。
【０００７】
【課題を解決するための手段】
この発明の請求項１に係るインバータ装置は、前部に回路部を有するとともに、後部にヒートシンク部を一体的に形成されたインバータ本体と、インバータ本体の回路部とヒートシンク部との境目部分の外周に設けられた一連の溝と、二分割構造でそれぞれを溝に挿入して相互にねじ締めすることによりインバータ本体と一体化される取付板とを備え、取付板を取付パネルにヒートシンク部が取付パネルの外側に出るようにねじにより取り付けたものである。
【０００８】
請求項２に係るインバータ装置は、取付板の各分割部分を同一形状としたものである。
【０００９】
請求項３に係るインバータ装置は、インバータ本体の周囲に前後方向の複数の凹部を設け、この凹部において取付板とインバータ本体の後端部との間に補強脚を取り付けたものである。
【００１０】
【発明の実施の形態】
以下、この発明の実施の形態を図面とともに説明する。図１はこの発明の実施形態によるインバータ装置の分解斜視図を示し、図２はインバータ本体を取付パネルに取り付けた状態の斜視図である。インバータ本体１１における回路部１１ａとヒートシンク部１１ｂとの境目部分の外周に一連の溝１１ｃを設ける。溝１１ｃは、インバータ本体１１のケースをプラスチックの射出成形により形成する際に同時に形成する。２６ａ，２６ｂは取付板２６の同一形状の二分割部分であって、溝１１ｃに挿入可能である。各分割部分２６ａ，２６ｂには、相互を一体化するためのねじ孔（又は単なる孔）２６ｃ、取付パネル２７への取付孔２６ｄ、ねじの挿通用凹部２６ｅが設けられている。又、直方体状のインバータ本体１１には、その四隅に前後方向の凹部１１ｄが形成されている。
【００１１】
インバータ本体１１を取付パネル２７の取付孔２７ａにヒートシンク部１１ｂを外出し構造でなく取り付ける際には、図３に示すようにインバータ本体１１の各凹部１１ｄにおいてねじ２８をインバータ本体１１の後端に設けられたねじ孔１１に螺合し、取付パネル２７の取付孔２７ａの周囲に設けられたねじ孔に締着する。
【００１２】
次に、ヒートシンク部１１ｂを取付パネル２７の外出し構造とする場合には、まず、取付板２６の各分割部分２６ａ，２６ｂをインバータ本体１１の溝１１ｃに左右から差し込み、ねじ孔２６ｃにねじ２９を締着することにより、取付板２６を一体化してインバータ本体１１に固定する。次に、取付板２６の取付孔２６ｄ及び凹部２６ｅに挿通したねじ３０を取付パネル２７の取付孔２７ａの周囲のねじ孔２７ｂに締着し、取付板２６を取付パネル２７に取り付ける。この際、インバータ本体１１の後部のヒートシンク部１１ｂは取付パネル２７の外方に突出する。
【００１３】
又、インバータ本体１１を振動のある場所に設置する場合、あるいはインバータ本体１１の輸送時に振動する恐れがある場合、インバータ本体１１の凹部１１ｄにおいて、取付板２６と後端のねじ孔１１ｅとの間に４つの補強脚３１をねじ３２により取り付ける。
【００１４】
上記実施形態においては、インバータ本体１１のヒートシンク部１１ｂを取付パネル２７の外出し構造としたので、ヒートシンク部１１ｂからの放熱は取付パネル２７及び取付板２６により遮られ、この放熱による回路部１１ａへの熱的影響は少なくなり、回路部１１ａ内の部品がヒートシンク部１１ｂからの放熱により損傷することは防止される。取付板２６の各分割部分２６ａ，２６ｂは同一形状であるので、コストダウンが可能である。さらに、取付板２６とインバータ本体１１の後端部との間に補強脚３１を取り付けたので、耐震強度が向上する。
【００１５】
【発明の効果】
以上のようにこの発明の請求項１によれば、インバータ本体を回路部とヒートシンク部との境目部分の外周に設けた溝に挿入した取付板を介して取付パネルに取り付け、ヒートシンク部を取付パネルの外出し構造としたので、ヒートシンク部の放熱によりインバータ本体の回路部が損傷することを防止することができる。
【００１６】
又、請求項２によれば、取付板の各分割部分を同一形状としたので、製作上コストダウンが可能となる。
【００１７】
請求項３によれば、インバータ本体の周囲に前後方向の複数の凹部を設け、この凹部において取付板とインバータ本体の後端部との間に補強脚を取り付けており、耐震強度を向上することができる。
【図面の簡単な説明】
【図１】この発明によるインバータ装置の分解斜視図である。
【図２】この発明によるインバータ本体を取付パネルに外出し構造により取り付けた状態の斜視図である。
【図３】この発明によるインバータ本体を取付パネルに外出し構造でなく取り付ける状態の斜視図である。
【図４】従来のインバータ装置を有するモータ駆動装置の構成図である。
【図５】従来のインバータ装置の分解斜視図である。
【符号の説明】
２…インバータ装置
４…順変換部
７…逆変換部
１１…インバータ本体
１１ａ…回路部
１１ｂ…ヒートシンク部
１１ｃ…溝
１１ｄ…凹部
１１ｅ…ねじ孔
２６…取付板
２６ａ，２６ｂ…分割部分
２７…取付パネル
２９，３０，３２…ねじ
３１…補強脚
【図１】
2004015920.tif 000003
【図２】
2004015920.tif 000004
【図３】
2004015920.tif 000005
【図４】
2004015920.tif 000006
【図５】
2004015920.tif 000007